(57)【要約】【課題】記録再生可能な光吸収材料を含む２記録層を有する光情報記録媒体において、十分な特性を持ったＢＣＡを有する光情報記録媒体を提供する。【解決手段】片側からレーザの照射により記録再生可能な光吸収材料を含む記録層を有する光情報記録媒体１において、ＢＣＡ信号の変動量と振幅量に優れたバーコード情報を記録するために、ＢＣＡ記録機のレーザビームに対して光情報記録媒体を回転させて、周方向に当該レーザビームを走査し、さらに当該レーザビームを半径方向に順次移動してＢＣＡを記録する際に、周方向のレーザビームで形成される記録マークの全てが少なくとも２回以上重なるように記録する。【選択図】図３
2007334993.tif 000002
【特許請求の範囲】
【請求項１】
ユーザーデータが同心円又はスパイラル状のトラックに沿って光記録されるユーザー情報領域と、管理情報が前記ユーザー情報領域外にバーコードとして記録されたＢＣＡ（Burst Cutting Area）が存在し、基板上に少なくともレーザ光を吸収する色素材料による光吸収層が形成されている光情報記録媒体の製造方法において、
前記バーコードを記録する際に、楕円形状に集光されたレーザビームに対して前記光情報記録媒体を回転させて周方向に当該レーザビームにより前記バーコードを記録し、さらに当該レーザビームを半径方向に順次移動して周方向に形成た前記バーコードの一部に重なるようにバーコードを重ね書きし、前記バーコードの端部を除く全てが少なくとも２回以上重なるように形成することで、所定の半径方向の長さのバーコードを形成することを特徴とする光情報記録媒体の製造方法。
【請求項２】
前記色素材料が記録により反射率が上昇することを特徴とする請求項１記載の光情報記録媒体の製造方法。
【請求項３】
前記バーコードの一部が少なくとも３回重ね書きされている部分を含むことを特徴とする請求項１記載の光情報記録媒体の製造方法。
【請求項４】
ユーザーデータが同心円又はスパイラル状のトラックに沿って光記録されるユーザー情報領域と、管理情報が前記ユーザー情報領域外にバーコードとして記録されたＢＣＡ（Burst Cutting Area）が存在し、基板上に少なくともレーザ光を吸収する色素材料による光吸収層が形成されている光情報記録媒体において、
（１）式で示すＢＣＡ信号変動量が４０％以下であることを特徴とする光情報記録媒体。
ＢＣＡ信号変動量（％）
＝（最大ＢＣＡ振幅−最小ＢＣＡ振幅）/最大ＢＣＡ振幅×１００・・（１）式
【請求項５】
前記色素材料が記録により反射率が上昇することを特徴とする請求項３記載の光情報記録媒体。
【発明の詳細な説明】
【技術分野】
【０００１】
本発明は、光情報記録媒体の製造方法とその製造方法により製造された光情報記録媒体に関し、より詳しくは、特にユーザー情報の他に管理情報がバーコードで記録されている光情報記録媒体のバーコードの形成方法に関する。
【背景技術】
【０００２】
従来、ＤＶＤ−ＲＯＭ等の光情報記録媒体の最内周には、トラッキングサーボ制御を行うことなく情報を読み取る領域として、バーコード情報を記録するバースト  カッティングエリア（Ｂｕｒｓｔ  Ｃｕｔｔｉｎｇ  Ａｒｅａ：以下、ＢＣＡと記すことがある。）が設けられている。ＢＣＡには、シリアル番号等の管理情報を光情報記録媒体個々の識別情報として記録し、著作権保護に利用される（特許文献１〜特許文献３参照）。
【０００３】
また、特許文献４には、光情報記録媒体のユーザー情報領域外であるシステムリードインに、ユーザー情報領域に記録したプログラム、データ、アプリケーション情報等のユーザー情報を管理またはその著作権を保護するために、ユーザー情報領域と同じ変調方式で管理情報を記録し、一方、ＢＣＡにはユーザー情報領域と異なる変調方式で管理情報を記録する方式が報告されている。
【０００４】
このようなＢＣＡは光情報記録媒体の製造段階で形成される。具体的には、ＤＶＤ−ＲＯＭの場合は、例えば、ＹＡＧレーザで反射膜を除去して形成される（特許文献５）。一方、追記型光情報記録媒体であるＤＶＤ−Ｒの場合は、ＤＶＤ−ＲＯＭのようにＹＡＧレーザで反射膜を除去すると記録層と反射膜が剥離するおそれがあるため、専用のＢＣＡライターでコントロール領域内の溝部分にバーコードを記録することによりＢＣＡを形成する。
【０００５】
【特許文献１】特開２０００−１４９４２３号公報
【特許文献２】特開２０００−２２２７８３号公報
【特許文献３】特開２００１−０４３５３３号公報
【特許文献４】特開平１０−１８８３６１号公報
【特許文献５】特開平０６−２０３４１２号公報
【発明の開示】
【発明が解決しようとする課題】
【０００６】
近年、情報を記録する用途に記録層に色素や相変化材料を使用した量の光情報記録媒体が開発されている。なかでも、レーザ光を吸収する色素材料を用いた追記型光情報記録媒体は、書き換えが出来ないことから多くの用途に利用されている。この記録媒体にバーコードによる管理情報を形成する場合、特許文献５記載の従来技術では、実質的に反射膜を溶融させており、色素と反射膜の熱膨張係数に差がありすぎるため、反射膜が変形して色素層が剥がれる現象が起こる。これは、データ読み取りの際のジッタ（ゆらぎ）に影響を与え、ジッタを十分に抑制することができない恐れがある。
【０００７】
これを防ぐために、色素を記録層に使用した記録情報媒体では専用のバーコード記録機により、記録層の色素を分解し、さらに基板の一部を変形させて、ＢＣＡを形成している。しかしながら、ＢＣＡ信号の品質については、信号振幅の変動があり、十分な状況ではなかった。最近は、光情報記録媒体に対するデータの記録・再生が高速化しており、高速時でも読み取り不良などが発生しないように、十分な信号品質のＢＣＡ形成が要求されている。
【０００８】
本発明は、以上の点に着目したもので、その目的は、レーザで色素に対して情報の記録・再生を行うことができる光情報記録媒体において、信号品質に優れたＢＣＡを備えた情報記録媒体を提供することである。
【課題を解決するための手段】
【０００９】
そこで本発明者らは、前項の課題を解決すべく鋭意検討した結果、ユーザー情報領域にユーザーデータが同心円又はスパイラル状のトラックに沿って光記録され、管理情報がユーザー情報領域外の、例えば前記同心円又はスパイラル状トラックの内側にバーコードとして記録されたＢＣＡ（Burst Cutting Area）が存在し、基板上に少なくともレーザ光を吸収する色素材料による光吸収層が形成されている光情報記録媒体において、十分な特性を持つＢＣＡを有する光情報記録媒体を完成するに至った。
【００１０】
即ち、本発明が適用される光情報記録媒体は、楕円形状に集光されたレーザビームに対して光情報記録媒体を回転させて、周方向に当該レーザビームを走査し、さらに当該レーザビームを半径方向に順次移動してＢＣＡを記録する際に、周方向のレーザビームで形成される記録マークの端部を除く全てが少なくとも２回以上重なるように、半径方向に重ね書きを行って形成する。また、このようにして形成された光情報記録媒体のＢＣＡは、（１）式で示すＢＣＡ信号変動量が４０％以下になる。
ＢＣＡ信号変動量（％）
＝（最大ＢＣＡ振幅−最小ＢＣＡ振幅）/最大ＢＣＡ振幅×１００・・（１）
【００１１】
ＢＣＡ信号変動量が少なくなるのは、重ね書きを行うことによって、バーコードを形成する記録マークの記録前後のコントラスト変化をより安定化させることができるためである。これは、従来のＤＶＤでは記録を行う色素材料が、記録を行うことにより反射率が低下するタイプの色素を使用していたのに対し、本発明においては、記録を行うことにより反射率が上昇するタイプの色素を用いたことが、要因のひとつと推測される。即ち、従来のＤＶＤ-ＲやＣＤ-Ｒでは記録により色素を分解、あるいは昇華させるなどして、色素記録層に空洞部を形成し、さらには、色素記録層に接する基板や反射膜の変形を利用することにより、記録部全体の反射率を低下させていたのに対し、本発明に用いた色素では、主に色素の変質などによる光学特性の変化を利用して、記録により反射率を上昇させるため、重ね書きを行ったほうが、バーコードを形成する記録マークをより安定に形成することができるものと思われる。
【発明の効果】
【００１２】
本発明によれば、光情報記録媒体のＢＣＡ信号の振幅変動を小さくできるため、再生時の信号読み取りエラーが小さい光情報記録媒体を提供できる。
【発明を実施するための最良の形態】
【００１３】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【００１４】
図１は、本実施の形態が適用される光情報記録媒体１を説明するための図である。図１に示すように、中央部に中心孔が空けられた円盤状の光情報記録媒体１は、中心孔の周囲に設けられ溝またはピットが形成されない平坦なミラー領域２と、ミラー領域２の外周側に形成されバーコードで管理情報を記録するＢＣＡ３と、ＢＣＡ３の外周側に設けたミラー領域４と、ミラー領域４の外周側に形成され、同心円またはスパイラル状のトラックに沿って所定のユーザー情報を記録するユーザー情報領域５と、さらにユーザー情報領域５の外側に形成されたミラー領域６とから構成される。ミラー領域２、ミラー領域４またはミラー領域６は必要に応じて設けなくても良い。また、ＢＣＡ３とユーザー情報領域４との間に管理情報等を示すプリピットが形成されていても良い。
【００１５】
次に、本実施の形態が適用される光情報記録媒体の断面構造を説明する。
図２は、本実施の形態が適用される光情報記録媒体７の断面構造を説明する図である。図２に示すように、光情報記録媒体７は、光透過性材料からなる第１透明基板８と、第１透明基板８上に形成した光吸収材料を含む記録層９と、記録層９上に形成した反射層１０とを有している。そして、第１層の反射層８と第２透明基板１２とが対向するように、透明接着層１１により接着され一体化している。
【００１６】
次に、光情報記録媒体７を構成する各層について説明する。
（第１透明基板、第２透明基板）
第１透明基板８及び第２透明基板１２の材料は、例えば、レーザ光に対する屈折率が１．４〜１．６の範囲の透明度の高い材料で、耐衝撃性に優れた樹脂が望ましい。具体的には、ポリカーボネート、アモルファスポリオレフィン、アクリル等が例示できるが、これらに限定されない。
【００１７】
尚、第１透明基板８と記録層９との間には、ＳｉＯ２、ＺｎＳ−ＳｉＯ２等のエンハンス層や耐溶剤層を設けてもよい。
【００１８】
第１透明基板８及び第２透明基板１２は、原盤及びスタンパを作製し、射出成型により作製することが好ましい。原盤は以下のように作製する。即ち、直径２００ｍｍ、厚さ６ｍｍのガラス原盤を用意し、ガラス原盤の一方の表面上にフォトレジストを、スピンコート法を用いて均一に塗布する。フォトレジストの厚さはピットまたはグルーブの深さに応じて調整する。次に、フォトレジストを塗布したガラス原盤をカッティング装置に装着する。
【００１９】
尚、原盤を作製するためのカッティング装置の記録光ヘッドは原盤と相対的に径方向に移動するサーボ系により駆動する。記録半径位置はリニアスケールで監視し、クローズサーボループで制御する。フォーマッタからは情報データ、管理情報、溝信号等を生成し光ヘッドを駆動する。システム全体はコントローラで管理し、トラックピッチのサーボ制御も行う。このサーボ制御の中でトラックピッチをコントロールする。原盤はスピンドルで回転駆動し、独自のサーボループを形成する。スピンドルはスピンドルドライバで駆動する。
【００２０】
カッティング装置により、フォーマッタから送られる情報に応じ、光ヘッドからレーザ光をフォトレジストに照射して露光し、同心円またはスパイラル状のピットまたは溝を形成する。レーザ光量を調節して、ピットの大きさ、溝幅をコントロールする。カッティングが終了したガラス原盤は、パターン形成面にメッキの前処理として無電解メッキを施す。さらに、このメッキ層を導電膜としてＮｉ層を電鋳法によって形成する。次いで、ガラス原盤上に形成したＮｉ層の表面を研磨し、さらに、ガラス原盤から上記Ｎｉ層を剥離することによりスタンパを得る。なお、上記メッキの前処理における導電膜形成を、スパッタ法や蒸着法を用いて行ってもよい。
【００２１】
本発明の情報記録媒体７について、透明基板８の基板形状について説明する。
本情報記録媒体７は少なくともＢＣＡとユーザー情報領域を含む構造である。ＢＣＡが形成される部分の基板形状はプリグルーブ、あるいはプリエンボスピット列、あるいはプリグルーブとエンボスピット列の両方が形成されていても良い。また、それらは、特定の周波数でウォブルさせてもよい。あるいは、プリグルーブやプリピットがないミラーの状態であっても良い。ユーザー情報領域４は記録時にピットが形成されるプリグルーブが形成されている。また、ユーザー情報領域４はアドレス情報を付与するために、特定の周波数でグルーブをウォブルさせても良いし、ピットを含ませても良い。これらの領域のピットあるいはグルーブはスパイラル状あるいは同心円状に形成されている。プリグルーブおよびプリエンボスピットの深さと幅は、記録再生システムの構成により、最適な値は異なるが、通常考えられる条件のものであればどのような条件のものでもよい。
【００２２】
記録再生レーザに青色レーザを使用する場合、ＢＣＡ記録領域のプリグルーブやプリエンボスピットの深さは、２０〜１２０ｎｍの深さが好適であり、さらに望ましくは４０〜１００ｎｍの深さであることが好ましい。また、プリグルーブおよびプリエンボスピットの幅はトラックピッチの０．３倍〜０．９倍が好適であり、さらに望ましくは０．４倍〜０．８倍である事が好ましい。また、プリエンボスピットを有するものについては、エンボスピットのピット長をＰＬとそのピット間隔をＳＬとした時、光ディスク駆動装置の記録再生レーザ波長をλ、記録再生ピックアップの対物レンズの開口数をＮＡとした時、それぞれ（ＰＬ×ＮＡ）／λ ≦ 0.6 、（ＳＬ×ＮＡ）／λ ≦ 0.6 の関係になるようにするのが好ましく、さらに望ましくは（ＰＬ×ＮＡ）／λ ≦ 0.5 、（ＳＬ×ＮＡ）／λ ≦ 0.5である事が好ましい。これは、記録再生に用いる光ディスクドライブの光学分解能λ／（２・ＮＡ）（ＮＡは光ヘッドの対物レンズの開口数）に近づけるあるいは、それ以下にする事で、エンボスピットやピット間が認識されず、光ディスクドライブからはミラー面と同様にみえるため、ＢＣＡの再生信号に振幅変動などの悪影響を与える事が少なくなるためである。
【００２３】
ＢＣＡ記録領域のトラックピッチは、ユーザー情報領域のトラックピッチより小さくするのが好適であり、望ましくは光ディスク駆動装置の記録再生レーザ波長をλ、記録再生ピックアップの対物レンズの開口数をＮＡとした時、（ＴＰ×ＮＡ）／λ ≦ 0.6 の関係になるようにするのが好ましく、さらに望ましくは0.45 ≦（ＴＰ×ＮＡ）／λ ≦ 0.6 の関係になるようにするのがより好ましい。この関係は前記のエンボスピット同様、ＢＣＡのトラックピッチＴＰを小さくして、記録再生に用いる光ディスクドライブの光学分解能λ／（２・ＮＡ）により近づけていく事である。（ＴＰ×ＮＡ）／λが0.5以下で、完全に光学的分解能以下となるが、これに近づける事でトラッキングをはずして再生したＢＣＡ情報が、クロストラック信号によって変動するといった影響を少なくすることができる。すなわち、光学的分解能に近づくことにより、光ディスクドライブからはミラー部と同様に見えるため、記録したＢＣＡ情報のコントラストが信号として再生できる。
【００２４】
更に（ＴＰ×ＮＡ）／λ が0.45以上にすることで、光記録情報媒体７を作製する工程の１つである原盤作製の際に、管理情報領域、ユーザー情報領域のプリグルーブやプリエンボスピットを刻むために露光するのと同一露光装置（同一レーザ）を使用してＢＣＡ記録領域のプリグルーブやプリエンボスピットが作製可能となり生産性が飛躍的に向上する。
【００２５】
例えば、記録再生レーザ波長が４０５ｎｍ、レンズＮＡが０．６５の場合、ＢＣＡ領域に形成するグルーブ、あるいはエンボスピット列、あるいはグルーブとエンボスピット列の両方のトラックピッチを約３７４ｎｍ以下にすれば、クロストラック信号による変動を実質的に影響がない程度まで低減し、なおかつ再生するのに問題のない再生信号振幅変調度を得る事ができる。また２８０ｎｍ以上にする事によって、ＢＣＡ、管理情報領域、ユーザーデータ領域全てを同一露光装置で作製できるため、生産性が飛躍的に向上する。
【００２６】
（記録層）
記録層９に使用される材料は、光吸収性の有機色素が望ましい。具体的には、例えば、シアニン色素、ポリメチン色素、トリアリールメタン色素、ピリリウム色素、フェナンスレン色素、アゾ色素、テトラデヒドロコリン色素、トリアリールアミン色素、スクアリリウム色素、クロコニックメチン色素等が例示できるが、これらに限定されるものではない。
【００２７】
これらの有機色素は１種類または２種類以上の有機色素を混合して使用しても良い。また、クエンチャーや他の色素、添加剤、高分子（例えば、ニトロセルロース等の熱可塑性樹脂、熱可塑性エラストマー）、金属微粒子等を含んでいても良い。
【００２８】
本実施の形態が適用される光情報記録媒体７において、記録層８は、情報を記録した後の反射率が記録前の反射率より高くなるＬｏｗ  ｔｏ  Ｈｉｇｈ極性であることが好ましい。この場合、前述した有機色素の中から、記録再生光の波長における吸収の大きい有機色素、即ち光学定数の消衰係数ｋが大きい有機色素が望ましい。
【００２９】
記録層８は、上述した有機色素及び任意の添加剤を公知の有機溶媒（例えば、テトラフルオロプロパノール、ケトンアルコール、アセチルアセトン、メチルセルロブ、トルエン等）で溶解・溶媒和し、これを第１透明基板８上に直接塗布される。
【００３０】
塗布方法としては、通常、スピンコート法が採用される。スピンコートの条件は、内周から外周にかけて、回転数を３００ｒｐｍ〜５０００ｒｐｍの間で数条件組み合わせて行えばよく、これらのスピンコート条件、有機色素溶液の濃度、粘度、溶剤の乾燥速度を調節することにより、記録層９の膜厚を制御できる。
【００３１】
（反射層）
反射層１０は、反射率が高く、耐食性に優れることが望ましい。反射率を高くするために、反射層１０の厚さは通常、５０ｎｍ以上が好ましい。より好適には８０ｎｍ以上である。但し、記録感度を上げるためにはある程度薄いことが好ましく、また、厚い反射膜を形成すると第１透明基板８が反るおそれがあるため、通常は３００ｎｍ以下が好ましく、より好ましくは２００ｎｍ以下が望ましい。反射層１０の材料としては、再生光の波長で反射率の十分高いものが挙げられる。具体的には、例えば、Ａｕ、Ａｌ、Ａｇ、Ｃｕ、Ｔｉ、Ｃｒ、Ｎｉ等の金属を単独または合金にして用いることが可能である。この中でもＡｕ、Ａｌ、Ａｇまたはこれらの合金が好ましい。合金を形成する成分としてはは、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属等の金属及び半金属を挙げることができる。
【００３２】
これらの中でもＡｇ合金はコストが安く、反射率が高く、耐食性に優れるために好ましい。Ａｇ合金としてはＡｇを主成分とし、Ｂｉ、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有することが好ましい。Ｂｉ、Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＢｉ、ＡｇＰｄＣｕ、ＡｇＣｕＡｕ、ＡｇＣｕＡｕＮｄ、ＡｇＣｕＮｄ、ＡｇＣａＣｕ、ＡｇＩｎ等である。
【００３３】
反射層１０を形成する方法としては、例えば、スパッタ法、イオンプレーティング法、化学蒸着法、真空蒸着法等が挙げられるが、スパッタ法が生産性の上で好ましい。
【００３４】
（接着層）
接着層１１は、接着力が高く、硬化接着時の収縮率が小さく、環境保存安定性が高い材料が好ましい。接着層１１の膜厚は、厚さ０．６ｍｍの２枚の基板（第１透明基板８,第２透明基板１２）を貼り合せる青色レーザの光情報記録媒体７においては、約２０μｍ〜４０μｍが好適である。接着層１１は、反射層１０にダメージを与えない材料からなることが望ましい。また、両層のあいだに公知の無機系または有機系の保護層を形成してもよい。
【００３５】
接着層１１の材料としては、例えば、熱可塑性樹脂、熱硬化性樹脂、電子線硬化性樹脂、紫外線硬化性樹脂（遅延硬化型を含む）、感圧式両面テープ等を挙げることができる。これらの中で、無溶剤タイプの紫外線硬化性樹脂は環境性に優しく、生産性に優れるために好ましい。紫外線硬化性樹脂には様々な種類があり、いずれも用いることができる。
【００３６】
接着層１１は紫外線硬化性樹脂を塗布し、紫外光を照射して硬化させることによって形成することができる。塗布方法としては、第１光吸収層２４等の場合と同様に、スピンコート法、スクリーン印刷、キャスト法等の塗布法等の方法が用いられるが、この中でもスピンコート法が好ましい。紫外線硬化性樹脂は、１０℃〜４０℃において、粘度２０〜１０００ｍＰａ・ｓであるものを用いると溶媒を用いることなく塗布できるために好ましい。
【００３７】
紫外線硬化性樹脂としては、ラジカル系紫外線硬化性樹脂とカチオン系紫外線硬化性樹脂があるが、いずれも使用可能である。ラジカル系紫外線硬化性樹脂としては、公知の全ての組成物を用いることができ、紫外線硬化性化合物と光重合開始剤を必須成分として含む組成物が用いられる。紫外線硬化性化合物としては、単官能アクリレート、単官能メタアクリレート、多官能アクリレート、多官能メタアクリレートを重合性モノマー成分として、各々、単独または２種類以上併用して用いることができる。
【００３８】
（その他の層）
また、本実施の形態が適用される光情報記録媒体７は、必要に応じて光入射側と反対の第２透明基板１２上に、印刷層または印刷受容層を設けてもよい。
【００３９】
光情報記録媒体７への記録は、光情報記録媒体７に設けた記録層９に、レーザ光を照射することにより行う。レーザ光の照射された部分には、レーザ光エネルギーの吸収による色素の分解、発熱、炭化、基板の溶融、変形等の基板の熱的変化が起こる。記録された情報の再生は、レーザ光により、熱的変化が起きている部分と起きていない部分の反射率の差を読み取ることにより行う。
【００４０】
本実施の形態は記録層が１層の光情報記録媒体について示したが、記録層が２層の光情報記録媒体においても同様に実施することが可能である。
【００４１】
本実施の形態において記録再生に使用する装置のレーザの波長は、特に限定されないが、青色レーザを使用する場合は３９０ｎｍ〜４３０ｎｍのものが好ましく、４００ｎｍ〜４２０ｎｍのものがより好ましい。また。ＢＣＡを記録するライター（ＢＣＡ記録機）に使用するレーザの波長は、例えば、波長３９０ｎｍ〜４３０ｎｍ、６２０ｎｍ〜７２０ｎｍ、７８０〜８３０ｎｍのものを例として挙げることができる。ただし、ＢＣＡライター（ＢＣＡ記録機）の波長はこの幅に限定されるものではない。
【００４２】
図３〜８は、ＢＣＡ記録領域にＢＣＡ記録機によってバーコード情報が記録される様子を模式的に示した図である。図３はＢＣＡ記録機の楕円形状のレーザビームの形状を示したものである。通常、バーコード情報を記録する場合は半径方向に細長い楕円形状のレーザビームを使用する。バーコード情報は、レーザビームの照射により、主に色素分解による光学定数の変化により記録されるが、空隙形成、基板形状の変化などを伴う場合もある。ＢＣＡ記録機としては、例えば、市販されているＢＣＡ用記録装置を使用する。なお、バーコードの記録には、良好なＢＣＡ信号を記録できるように、ＢＣＡ記録機のレーザパワー、光情報記録媒体の回転数、記録パルス幅、記録パルス形状などを最適化される。光情報記録媒体１を回転させると、レーザビームは矢印方向に走査されることになる。
【００４３】
図４はこのレーザビームを照射して、光情報記録媒体１を１回転させたときに記録された１本のバーコード信号の一部を拡大した模式図である。
このような記録処理を、ＢＣＡを構成する各バーコードについて順次行うことで、長さが本来の長さよりも短いが目的の幅のバーコードが形成される。
【００４４】
図５は、光情報記録媒体１を１回転させる度に、レーザビームを半径方向にレーザビームの長さＬｒに対して１／３Ｌｒずらした様子を模式的に示した図である。この際、バーコードの書き始めの部分に相当する端部のみは重ね書きされないことになる。
【００４５】
図６は、図５の動作を繰り返し、所定の長さのバーコード信号を記録する様子を模式的に示した図である。バーコード信号は１回の記録より２回の記録のほうが信号のコントラストが増加するため、バーコードの半径方向の端部を除き、同じ箇所を２回以上レーザビームが走査するようにする。コントラストの増加は走査回数に従い増加するが、その増加量は走査回数に従い小さくなり、２回以上はあまり顕著な増加がなく、信号のコントラスト増加が安定化する。したがって、レーザビームの送りピッチはレーザビームの半径方向に対するレーザビームの長さＬｒの１／２未満が好ましく、より好ましくは１／３未満が好ましい。なお、バーコードの終端部は重ね書きされない。バーコードの両端部は再生に影響がないので、両端部は２回記録を行わなくてもよい。
【００４６】
図７は、図６において、レーザビームの送りピッチを３／５Ｌｒにした場合の様子を模式的に示した図である。バーコード信号において、１回記録されたところと２回記録されたところが存在するため、信号のコントラストの変動が大きくなることが考えられる。
図８は、図７において、光情報媒体１が２回転毎にレーザビームを送りピッチは３／５Ｌｒにした場合の様子を模式的に示した図である。バーコード信号において、２回記録されたところと４回記録されたところが存在するが、２回以上は大きなコントラストの増加がないため、バーコード信号のコントラストの変動は小さいと考えられる。
【実施例】
【００４７】
以下に実施例に基づき本実施の形態をより具体的に説明する。尚、本実施の形態は実施例に限定されない。
（実施例１）
時計向きの溝が形成されたスタンパＡを射出成型機に装着し、光情報記録媒体グレードのポリカーボネート樹脂を射出成型することにより第１透明基板を得た。第１透明基板は、直径１２０ｍｍ、厚さ０．５９ｍｍのポリカーボネート製基板であり、半径２２．２０ｍｍ〜２３．２０ｍｍのＢＣＡ形成領域にトラックピッチ３５０ｎｍ、半値幅０．２３μｍ、深さ３５ｎｍのストレート溝が形成されている。また、ユーザー情報領域にトラックピッチ４００ｎｍ、半値幅０．２３μｍ、深さ６０ｎｍの変調されたウォブル溝が形成され、ＢＣＡ形成領域とユーザー情報領域の間には、トラックピッチ６８０ｎｍ、半値幅４００ｎｍのプリピットにより管理情報が形成されている。ＢＣＡ形成領域と管理情報領域の間はミラーになっている。
【００４８】
続いて、第１透明基板の溝形成面上に、下記化学式（１）で表されるシアニン系色素０．８重量％と、下記化学式（２）で表される添加剤０．３重量％の濃度のテトラフルオロプロパノール溶液（色素溶液１）を、スピンコート法により塗布した。尚、上記色素溶液１を塗布する際に、色素溶液１をフィルタで濾過して不純物を取り除いた。次いで、上記色素溶液１を塗布した第１透明基板を９０℃にて１時間乾燥し、さらに、室温にて１時間冷却した。こうして、記録層を第１透明基板上に形成した。さらに、記録層上に、スパッタ法を用いてＡｇＣｕＮｄ合金からなる厚さ１２０ｎｍの反射層を形成した。
【００４９】
【化１】
2007334993.tif 000003
【００５０】
【化２】
2007334993.tif 000004
【００５１】
続いて、第１透明基板の反射層上にラジカル重合型ＵＶ樹脂をスピンコート法により塗布し、貼り合せ装置に設置した。次に、第１透明基板のラジカル重合型ＵＶ樹脂塗布面に第１透明基板Ａと同じ基板を対面するように貼り合せ装置に設置した。装置内を真空にして、接着層に泡が発生しないようにして両ディスクを貼り合せた。貼り合せたディスクを貼り合せ装置から取り出して、第２透明基板側からＵＶ照射を施して硬化することで厚さ２５μｍの接着層を形成した光情報記録媒体Ａを得た。得られた光情報記録媒体Ａは、記録層の情報領域に、波長４０５ｎｍのレーザ光で情報を記録すると、記録したマークの反射率が記録前の反射率より高くなるＬｏｗ  ｔｏ  Ｈｉｇｈ記録であった。
【００５２】
こうして得られた光情報記録媒体Ａに対し、波長４０５ｎｍのＢＣＡ記録機で、記録層の半径２２．２０ｍｍ〜２３．２０ｍｍのＢＣＡ形成領域にバーコード信号を１回記録した。ＢＣＡ記録機のレーザビーム径は光情報記録媒体の周方向で０．５μｍ、半径方向で１０μｍであった。また、ＢＣＡ記録条件は、記録パワー１９０ｍＷ、光情報記録媒体の回転数１０００ｒｐｍ、送りピッチ３μｍであった。ＢＣＡ信号の評価結果を表１に示す。
【００５３】
（実施例２）
実施例１と同じ光情報記録媒体Ａにおいて、ＢＣＡ記録条件の送りピッチを４μｍに変えてＢＣＡ信号を記録した以外は、実施例１と同様の操作によりバーコード信号を記録した。ＢＣＡ信号の評価結果を表１に示す。
【００５４】
（実施例３）
実施例１と同じ光情報記録媒体Ａにおいて、ＢＣＡ記録条件の記録パワーを１７０ｍＷ、回転数を９００ｒｐｍに変えてＢＣＡ信号を記録した以外は、実施例１と同様の操作によりバーコード信号を記録した。ＢＣＡ信号の評価結果を表１に示す。
【００５５】
（実施例４）
実施例１と同じ光情報記録媒体Ａにおいて、ＢＣＡ記録条件の送りピッチを７μｍに変えてＢＣＡ信号を記録する操作を同じ位置で２回した以外は、実施例１と同様の操作によりバーコード信号を記録した。ＢＣＡ信号の評価結果を表１に示す。
【００５６】
（比較例１）
実施例１と同じ光情報記録媒体Ａにおいて、ＢＣＡ記録条件の送りピッチを７μｍに変えてＢＣＡ信号を記録した以外は、実施例１と同様の操作によりバーコード信号を記録した。ＢＣＡ信号の評価結果を表１に示す。
【００５７】
（ＢＣＡ信号評価）
実施例１〜実施例４および比較例１でそれぞれ調製した各光情報記録媒体について、波長４０５ｎｍのレーザ光及び開口数０．６５のレンズを有する光ピックアップを持つテスターで、フォーカスをかけてトラッキングをはずした状態でＢＣＡ信号を再生し、再生信号の最小振幅および最大振幅を測定して、ＢＣＡ信号の変調度と変動量を求めた。
【００５８】
図９は、ＢＣＡ信号の例と最小振幅および最大振幅を説明する図である。図９に示すように、２２は最小振幅、２３は最大振幅であり、２４は反射率である。
ＢＣＡ信号変動量は最小振幅２２と最大振幅２３を用いて下記式により求めた。
【００５９】
ＢＣＡ信号変動量（％）＝（最大振幅２３−最小振幅２２）/最大振幅２３×１００
また、ＢＣＡ振幅（％）は、最小振幅２２及び反射率２４を用いて下記式により求めた。
ＢＣＡ振幅（％）＝（最小振幅２２／反射率２４）×１００
【００６０】
【表１】
2007334993.tif 000005
【００６１】
表１に示す結果から、有機色素を含む記録層を設けた光情報記録媒体において、レーザビームに対して光情報記録媒体を回転させて、周方向に当該レーザビームを走査し、さらに当該レーザビームを半径方向に順次移動して前記バーコードを記録する際に、周方向のレーザビームで形成される記録マークの全てが少なくとも２回以上重なるように形成することにより（実施例１〜実施例４）、ＢＣＡ形成領域に記録したバーコード情報を、変動量少なく、信号振幅も大きい信号品質で再現できることが分かる。
【００６２】
一方、有機色素を含む記録層を光情報記録媒体において、レーザビームに対して光情報記録媒体を回転させて、周方向に当該レーザビームを走査し、さらに当該レーザビームを半径方向に順次移動して前記バーコードを記録する際に、周方向のレーザビームで形成される記録マークの重なりが２回未満になるように形成すると（比較例１）、ＢＣＡ形成領域に記録したバーコード情報の信号変動量が大きく、信号振幅も減少することが分かる。
【００６３】
以上、詳述したように、基板上に少なくともレーザ光を吸収する色素材料による光吸収層が形成されている光情報記録媒体において、ユーザー情報領域の内側にバーコードとしてＢＣＡを形成する場合、ＢＣＡ記録機のレーザビームに対して光情報記録媒体を回転させて、周方向に当該レーザビームを走査し、さらに当該レーザビームを半径方向に順次移動してＢＣＡを記録する際に、周方向のレーザビームで形成される記録マークの全てが少なくとも２回以上重なるように形成する。このようにして形成された光情報記録媒体のＢＣＡは、少なくとも２回以上レーザビームでバーコード信号を記録されるため、コントラストの変動が小さいため、バーコード情報の変動量少なく、信号振幅も大きい信号品質で再現できる。
【図面の簡単な説明】
【００６４】
【図１】本実施の形態が適用される光情報記録媒体を説明するための図である。
【図２】本実施の形態が適用される光情報記録媒体の断面構成を説明する図である。
【図３】ＢＣＡ記録機の楕円レーザビームの模式図である。
【図４】周方向のレーザビームの走査で記録されたＢＣＡ信号の一部分の模式図である。
【図５】１回目を記録後、レーザビームを外周に送りピッチ  Ｐｒで外周に移動した状態を示す模式図である。
【図６】レーザビームを外周に送りピッチ  Ｐｒ１で外周に移動して、ＢＣＡ信号を記録した状態を示す模式図である。
【図７】レーザビームの送りピッチ  Ｐｒ２を大きくして、ＢＣＡ信号を記録した状態を示す模式図である。
【図８】図７のＢＣＡ記録条件でＢＣＡ信号を２回の記録した状態を示す模式図である。
【図９】ＢＣＡ信号の例とＢＣＡ信号変動量とＢＣＡ振幅を説明する図である。
【符号の説明】
【００６５】
１,７…光情報記録媒体、２,４,６…ミラー領域、４…ユーザー情報領域、２…ＢＣＡ、８…第１透明基板、９…記録層、１０…反射層、１１…接着層、１２…第２透明基板、１３…楕円形状のレーザビーム、１４…光情報媒体の半径方向に対するレーザビームの長さ  Ｌｒ、１５…周方向のレーザビームの走査で記録されたＢＣＡの記録マーク、１６…半径方向のレーザビームの送りピッチ  Ｐｒ、１７…レーザビームが２回以上走査して記録されたＢＣＡの記録マーク、１８…レーザビームが１回走査して記録されたＢＣＡの記録マーク、１９…レーザビームが２回走査して記録されたＢＣＡの記録マーク、２０…レーザビームが２回走査して記録されたＢＣＡの記録マーク、２１…レーザビームが４回走査して記録されたＢＣＡの記録マーク、２２…ＢＣＡ信号の最小振幅、２３…ＢＣＡ信号の最大振幅、２４…ＢＣＡ信号の反射率
【図１】
2007334993.tif 000006
【図２】
2007334993.tif 000007
【図３】
2007334993.tif 000008
【図４】
2007334993.tif 000009
【図５】
2007334993.tif 000010
【図６】
2007334993.tif 000011
【図７】
2007334993.tif 000012
【図８】
2007334993.tif 000013
【図９】
2007334993.tif 000014